(57)【要約】  片側が固定されている複数の細長材（２）を有する発動エネルギーが最適化されている少なくとも１つの振動プレート（１）を有する打撃機構（５０）を有する計時器（５００）、腕時計（１００）又は演奏箱（２００）であって、前記細長材（２）はそれぞれ、不等式【数１】2017502359.tif 000012を満たすヤング率Ｅ及び密度ρの材料で形成されており、前記細長材（２）のすべてはそれぞれ、関係【数２】2017502359.tif 000013を満たし、ここで、ｂは、前記細長材（２）の幅、Ｌは、前記細長材（２）の長さであり、δは、前記細長材の移動距離であり、ｆは、前記細長材（２）の周波数であり、Ｕは、前記細長材（２）の発動パワーであって２０マイクロワット以上であり、前記細長材（２）は、８００Ｈｚ〜４０００Ｈｚにて振動するように構成している。【選択図】  図２
2017502359.tif 000002
【特許請求の範囲】
【請求項１】
片側が固定されている複数の細長材（２）を有する発動エネルギーが最適化されている少なくとも１つの振動プレート（１）を有する腕時計（１００）又は演奏箱（２００）用の打撃機構（５０）であって、
前記細長材（２）はそれぞれ、不等式
【数１】
2017502359.tif 000010
を満たすヤング率Ｅ及び密度ρを有する材料で形成されており、
前記細長材（２）のすべてはそれぞれ、関係
【数２】
2017502359.tif 000011
を満たし、ここで、ｂは、前記細長材（２）の幅、Ｌは、前記細長材（２）の長さであり、δは、前記細長材の移動距離であり、ｆは、前記細長材（２）の周波数であり、Ｕは、前記細長材（２）の発動エネルギーであって２０マイクロワット以上であり、
前記細長材（２）は、８００Ｈｚ〜４０００Ｈｚにて振動するように構成している
ことを特徴とする打撃機構（５０）。
【請求項２】
前記振動プレート（１）の全体寸法は、前記振動プレート（１）の有効長が１２ｍｍ以下、前記振動プレート（１）の幅が７ｍｍ以下、そして、前記振動プレート（１）の垂直方向の高さが１．５ｍｍ以下である
ことを特徴とする請求項１に記載の打撃機構（５０）。
【請求項３】
前記細長材（２）はそれぞれ、ヤング率が７０ＧＰａ〜１２０ＧＰａ又は密度が１４〜２２である材料によって形成されている
ことを特徴とする請求項１又は２に記載の打撃機構（５０）。
【請求項４】
前記細長材（２）はそれぞれ、ヤング率が７０ＧＰａ〜１２０ＧＰａかつ密度が１４〜２２である材料によって形成されている
ことを特徴とする請求項１又は２に記載の打撃機構（５０）。
【請求項５】
前記振動プレート（１）はそれぞれ、ヤング率が７０ＧＰａ〜１２０ＧＰａかつ密度が１４〜２２である材料によって形成されている
ことを特徴とする請求項３に記載の打撃機構（５０）。
【請求項６】
前記振動プレート（１）はそれぞれ、ヤング率が７０ＧＰａ〜１２０ＧＰａ又は密度が１４〜２２である材料によって形成されている
ことを特徴とする請求項４に記載の打撃機構（５０）。
【請求項７】
前記細長材（２）の少なくとも１つは、金を含有する合金で作られている
ことを特徴とする請求項１〜６のいずれかに記載の打撃機構（５０）。
【請求項８】
前記振動プレート（１）の前記細長材（２）はそれぞれ、金を含有する合金で作られている
ことを特徴とする請求項７に記載の打撃機構（５０）。
【請求項９】
前記振動プレート（１）は、白金を、単独で又は少なくとも金とともに、含有する材料で作られている
ことを特徴とする請求項１〜５のいずれかに記載の打撃機構（５０）。
【請求項１０】
前記振動プレート（１）は、パラジウムを、単独で又は少なくとも金とともに、含有する材料で作られている
ことを特徴とする請求項１〜５のいずれかに記載の打撃機構（５０）。
【請求項１１】
前記細長材（２）は、高さ０．２５ｍｍを有し、これは、０．２ｍｍの移動距離で発動する
ことを特徴とする請求項１〜１０のいずれかに記載の打撃機構（５０）。
【請求項１２】
前記細長材（２）は、高さ０．３５ｍｍを有し、これは、０．１５ｍｍの移動距離で発動する
ことを特徴とする請求項１〜１１のいずれかに記載の打撃機構（５０）。
【請求項１３】
前記細長材（２）は、対の間の０．０７ｍｍのギャップによって分離される
ことを特徴とする請求項１〜１２のいずれかに記載の打撃機構（５０）。
【請求項１４】
前記細長材（２）の幅は、０．４ｍｍである
ことを特徴とする請求項１〜１３のいずれかに記載の打撃機構（５０）。
【請求項１５】
前記細長材（２）の少なくとも１つは、表面被覆を有する
ことを特徴とする請求項１〜１４のいずれかに記載の打撃機構（５０）。
【請求項１６】
前記細長材（２）の少なくとも１つは、そのコア材料と比べて硬化した表面を有する
ことを特徴とする請求項１〜１５のいずれかに記載の打撃機構（５０）。
【請求項１７】
前記細長材（２）の少なくとも１つは、中空である
ことを特徴とする請求項１〜１６のいずれかに記載の打撃機構（５０）。
【請求項１８】
前記振動プレート（１）を形成する前記細長材（２）のすべては、前記振動プレート（１）の土台部分（３）と一体的なアセンブリーを形成している
ことを特徴とする請求項１〜１７のいずれかに記載の打撃機構（５０）。
【請求項１９】
請求項１〜１８のいずれかに記載の打撃機構（５０）を少なくとも１つ有する
ことを特徴とする腕時計（１００）。
【請求項２０】
請求項１〜１８のいずれかに記載の打撃機構（５０）を少なくとも１つ有する
ことを特徴とする演奏箱（２００）。
【発明の詳細な説明】
【技術分野】
【０００１】
本発明は、片側が固定されている複数の細長材を有する発動エネルギーが最適化されている振動プレートを少なくとも１つ有する腕時計又は演奏箱用の打撃機構に関する。
【０００２】
本発明は、さらに、このような機構を少なくとも１つ有する腕時計又は演奏箱によって形成されている計時器に関する。
【０００３】
本発明は、打撃機構を有する計時器の分野に関し、特に、腕時計及び演奏箱の分野に関する。
【背景技術】
【０００４】
演奏機能付き腕時計又は演奏箱の打撃機構は、一般的に、振動プレートと、及び振動プレートの細長材を発動させる発動システムによって形成されている。この発動システムは、回転シリンダ、回転円板などであることができる。
【０００５】
従来、振動プレートの材料は、主として、製造性と耐摩耗性・耐疲労性に基づいて選択されている。なぜなら、振動プレートの細長材は、繰り返し曲げ力を受け、細長材の表面と発動ピンとの間の摩擦が表面の摩耗やコーキングを引き起こすことがあるからである。同時に、従来、打撃機構付きの腕時計又は演奏箱の製造業者は、細長材の発動エネルギーをできるだけ大きくすることを常に試みてきた。これには、特に、最高のピッチ音に対応する最短の細長材に対して、非常に大きい曲げ力を必要とする。
【０００６】
MONTRES BREGUET SA名義の欧州特許出願ＥＰ２４８２２７５Ａ１は、腕時計の形の演奏箱用の振動プレートについて記載している。これは、平行な細長材の対の組によって構成しており、この細長材は、その一端がヒールに接続しており、細長材の対のそれぞれは、音叉を形成しており、対の細長材の一方を、演奏機能付きムーブメントのピンによって振動させることができ、対の細長材の他方に振動が縦波を介して伝搬する。特定の変種において、振動プレートは、貴金属、金又は金属性ガラスで作られている。
【発明の概要】
【発明が解決しようとする課題】
【０００７】
本発明は、特定の弾性特性を有する材料で形成された最適化された振動プレートを打撃機構に対して導入することを提案するものである。これは、特に、外側部品を通して最適な音放射がなされることを確実にし、最小の全体寸法にて最大量のエネルギーを格納するために特定の幾何学的構成を有する。
【課題を解決するための手段】
【０００８】
この放射を最適化する課題を克服するために、打撃機構用の振動プレートに関する精力的な研究を行った。これは、腕時計の外側部品にわずかに依存して発動エネルギーが所定のしきい値（約２０マイクロワット）を超えなければならないということに焦点を当てるものである。これによって、効率的な放射が可能になり、音レベルが大きく改善する（このしきい値周辺で１０ｄＢよりも大きい改善）。しかし、このしきい値を超えると発動エネルギーを大きくすることに関して大きな利点はない。実際に、このしきい値を超えると、改善が線形的になる。これは、わずか３ｄＢによって発生する音のレベルを大きくするために、利用可能なエネルギーを２倍にしなければならないことを意味する。
【０００９】
同時に、近年、材料を被覆し硬化する技術によって計時器の部品の摩耗や疲労のリスクを減らし、打撃機構の振動プレート機能のために比較的可撓性を有する材料を用いることができるようになってきた。
【００１０】
このことは、エネルギー及び部品の全体寸法の基準に基づいて（細長材はすべて２０マイクロワットよりも大きい発動エネルギーがなければならない）、振動プレートの材料を選択することができることを意味する。
【００１１】
したがって、本発明は、伝統的に用いられている鋼製の振動プレートよりも弾性係数が低く、かつ、密度が大きいような最適化された打撃機構振動プレートを定めることによって、業界の慣行に大きく反して通常では思い描かない手法を提案するものである。この本発明に係る最適化された振動プレートのファミリーの主な例は、金又は金合金で作られた振動プレートである。
【００１２】
この材料又は同じ物理的条件を満たす他の材料を使用するおかげで、全体寸法が小さいまま、演奏される様々な音階の音レベルを標準化することができる。これによって、この最適なシステムを得るためには、以下の説明において詳細に説明する十分に定められており適応されている幾何学的構成を用いる必要がある。
【００１３】
このために、本発明は、片側が固定されている複数の細長材を有する発動エネルギーが最適化されている少なくとも１つの振動プレートを有する腕時計又は演奏箱用の打撃機構に関し、前記細長材はそれぞれ、不等式
【数１】
2017502359.tif 000003
を満たすヤング率Ｅ及び密度ρを有する材料で形成されており、前記細長材のすべてはそれぞれ、関係
【数２】
2017502359.tif 000004
を満たし、ここで、ｂは、前記細長材の幅、Ｌは、前記細長材の長さであり、δは、前記細長材の移動距離であり、ｆは、前記細長材の周波数であり、Ｕは、前記細長材の発動エネルギーであって２０マイクロワット以上であり、前記細長材は、８００Ｈｚ〜４０００Ｈｚにて振動するように構成している。
本発明の特定の特徴によると、前記振動プレートの全体寸法は、前記振動プレートの有効長が１２ｍｍ以下、前記振動プレートの幅が７ｍｍ以下、そして、前記振動プレートの垂直方向の高さが１．５ｍｍ以下である。
【００１４】
本発明の別の特定の特徴によると、細長材はそれぞれ、ヤング率が７０ＧＰａ〜１２０ＧＰａ又は密度が１４〜２２であるの材料で形成されている。
【００１５】
本発明の別の特定の特徴によると、細長材はそれぞれ、ヤング率が７０ＧＰａ〜１２０ＧＰａ、密度が１４〜２２である材料で形成されている。
【００１６】
より詳細には、振動プレートは、ヤング率が７０ＧＰａ〜１２０ＧＰａ、密度が１４〜２２である材料で形成されている。
【００１７】
本発明の特定の特徴によると、細長材の少なくとも１つは、金を含有する合金で作られている。
【００１８】
本発明は、さらに、このような機構を少なくとも１つ有する腕時計又は演奏箱によって形成される計時器に関する。
【００１９】
添付図面を参照しながら下記の詳細な説明を読むことで、本発明の他の特徴及び利点を理解することができるであろう。
【図面の簡単な説明】
【００２０】
【図１】本発明に係る７５０金の振動プレート（Ｅ＝１１０ＧＰａ、ρ＝１５１００ｋｇ／ｍ3）を用いる場合に、Ｘ軸上の細長材の長さの関数として、８００Ｈｚにおいて基本曲げモードを有する細長材の発動エネルギー（単位はマイクロワット）の分布及び細長材の幅が０．４ｍｍである場合のｙ軸上の細長材の持ち上げ量を示す概略図である。
【図２】従来技術の鋼製の振動プレートを用いる場合の概略図であって、Ｘ軸は、細長材の長さ、Ｙ軸は、細長材の垂直方向の合計寸法、すなわち、細長材の高さの合計であって、その移動距離の２倍である。これは、２０マイクロワットの発動エネルギーを得るために評価される。この図２は、特定の周波数における振動プレートの応答を示している（４０００Ｈｚの細長材は左側、８００Ｈｚの細長材は右側）。各実線曲線は、垂直方向の合計寸法との応答に対応しており、各点線曲線は、単一の移動距離に対応しており、細長材最大の全長及び動作限界を特徴づける垂直方向の合計寸法は、斜線領域によって表される。
【図３】図２と同様な形態の図であり、ヤング率が１１０ＧＰａ、密度が１５．１の第１の７５０金の合金で作られた本発明に係る振動プレートに対応する図である。
【図４】図２と同様な形態の図であり、ヤング率が１２０ＧＰａ、密度が１４．０の第２の金合金で作られた本発明に係る振動プレートに対応する図である。
【図５】本発明に係る振動プレートの概略斜視図である。
【発明を実施するための形態】
【００２１】
本発明は、打撃機構を有する計時器の分野に関し、特に、打撃機構を有する腕時計や演奏箱の分野に関する。
【００２２】
より詳細には、本発明は、発動エネルギーが最適化されている片側が固定されている複数の細長材２を有する腕時計１００又は演奏箱２００の打撃機構用の振動プレート１に関する。
【００２３】
各細長材２は、所定の周波数で振動するような寸法構成を有する。振動プレート１全体は、特定範囲の可聴周波数を放射する振動を確実に発生するように構成している。より詳細には（これに制限されない）、この範囲は、８００Ｈｚ〜４０００Ｈｚの周波数である。下で記載する概念的思考は、この周波数範囲の他のすべての制限値にも適用される。
【００２４】
好ましいことに、本発明によると、振動プレート１の細長材２はそれぞれ、
【数３】
2017502359.tif 000005
であるような材料で形成される。
【００２５】
本発明の変種の１つにおいて、これらの細長材２はそれぞれ、ヤング率が７０ＧＰａ〜１２０ＧＰａである材料Ｍで作られる。
【００２６】
別の変種の１つにおいて、少なくとも１つの細長材２は、白金又は白金合金で作られ、ヤング率が１２０ＧＰａよりも大きい。
【００２７】
本発明の変種の１つにおいて、これらの細長材２はそれぞれ、密度が１４より大きく、特に、１４〜２２である。
【００２８】
より詳細には、これらの細長材２はそれぞれ、ヤング率が７０ＧＰａ〜１２０ＧＰａ又は密度が１４〜２２である材料で形成されている。
【００２９】
より詳細には、これらの細長材２はそれぞれ、ヤング率が７０ＧＰａ〜１２０ＧＰａ、かつ、密度が１４〜２２である材料で形成されている。
【００３０】
より詳細には、振動プレートは、ヤング率が７０ＧＰａ〜１２０ＧＰａ又は密度が１４〜２２である材料で形成されている。
【００３１】
より詳細には、振動プレートは、ヤング率が７０ＧＰａ〜１２０ＧＰａ、かつ、密度が１４〜２２である材料で形成されている。
【００３２】
なお、ここでは、「密度」は、水に対する比重を意味する。したがって、値「λ」の密度は、λ・１０3ｋｇ／ｍ3の質量密度に対応する。通常の金又は金合金の異なるシェード、特に、１８カラットの「７５０」金が、この基準を満たしている。
【００３３】
本発明の変種の１つにおいて、少なくとも１つの細長材２は、金を含有する合金で作られている。
【００３４】
本発明の変種の１つにおいて、少なくとも１つの細長材２は、少なくとも７５％の金を含有する「７５０」金で作られている。
【００３５】
他の材料も必要条件を満たしており、本発明に係る振動プレートの製造に用いるように思い描くことができ、単独でも、金と組み合わせても、少なくとも金と組み合わせても、このような材料の少なくとも２つを互いに又は他と組み合わせることができる。
【００３６】
したがって、変種の１つでは、振動プレート１は、タングステン、イリジウム、白金、パラジウム、銀、銅、青銅、特定の鋳鉄、ガラス、水晶、ベリリウム、クロム、マンガン、モリブデン、「Ｉｎｖａｒ（登録商標）」、「Ｉｎｃｏｎｅｌｓ（登録商標）」、「Ｈａｓｔａｌｌｏｙｓ（登録商標）」及び同様の要素、様々な炭化物、酸化ジルコニウム、及びサファイアからなる群から選択される少なくとも１つの要素を含有し、この少なくとも１つの要素は、単独で、金と組み合わせて、少なくとも金と組み合わせて、当該群の別の要素と組み合わせて、又は当該群の少なくとも２つの要素どうしを組み合わせて用いられる。
【００３７】
より詳細には、タングステン、イリジウム、白金、パラジウム及び銀を単独で使用することができる。
【００３８】
本発明のために定められる様々な基準に対して、毎回、Ｅとρの値を確かめるべきである。
【００３９】
特定の実施形態において、図５に示すように、振動プレート１を形成する細長材２はすべて、土台部分３と一体的なアセンブリーを形成し、この土台部分３を介して振動プレート１が固定される。この土台部分３は、各細長材２のアンカーヒールを形成する。これは、一端がアンカリングされ片持ちレバー構成でマウントされる振動ビームと同様である。図示していない他のいくつかの変種では、振動プレート１は、本発明に係るヤング率と密度値の範囲にすべてが適合する細長材２によって形成することができ、細長材２はそれぞれ、土台部分３にアンカリングされ、この土台部分３も同じ値の範囲に適合することが好ましい。
【００４０】
本説明において、単純化のため、細長材２はそれぞれ、中実の平行六面体柱である。実際上、形状と断面が異なる中実又は中空の細長材２にも同じ論法を適用可能である。
【００４１】
この特定の例において、ヤング率Ｅと密度ρの特定の材料Ｍのそれぞれに対して、細長材２の適切な幾何学的構成（細長材の最小長さ、最大長さ、高さｈ及び幅ｂによって定められる）が、以下の２つの数式を用いて数学的に得られる。これらの数式それぞれは、振動プレートの細長材の周波数と曲げエネルギー（一端がアンカリングされた薄いビームとしてモデル化される）を定める。
【数４】
2017502359.tif 000006
【００４２】
所与の材料及び周波数に対して、細長材２の高さｈがその長さＬによって決まる。
【数５】
2017502359.tif 000007
【００４３】
関係（３）を（２）に導入することによって、各細長材２の発動エネルギー（基本曲げモードＳを有する）をその長さＬ及びその（固定幅ｂに対しての）移動距離δの関数として得ることができる。
【００４４】
図１は、細長材の幅ｂ＝０．４ｍｍである場合に、７５０金の振動プレート（Ｅ＝１１０ＧＰａ、ρ＝１５１００ｋｇ／ｍ3）に対しての基本曲げモードが８００Ｈｚである細長材の発動エネルギー（マイクロワットで）を、細長材の長さＬと移動距離δの関数として示している。
【００４５】
所与の材料、周波数、細長材幅及び発動エネルギーに対して、発動エネルギーＵ＝２０マイクロワットを得るのに必要なスイープが、以下のように細長材の長さＬによって決められる（ＫＯ単位で）。
【数６】
2017502359.tif 000008
【００４６】
ｚ方向の最大の寸法が２δ＋ｈ＜Ｈmaxによって決められ、それらの主軸によって定められる方向における細長材の最大の寸法が、Ｌ＜Ｌmaxによって決められる場合、式（４）は明確に最適な構成を決めることができる。
【００４７】
デジタルの実装に対しては、細長材幅ｂ＝０．４ｍｍが用いられ、打撃機構の振動プレートの典型的な制限周波数は、以下のように考えられる。ｆmin＝８００Ｈｚ、かつ、ｆmax＝４０００Ｈｚ
【００４８】
Ｅ＝１８５ＧＰａかつ密度８０００ｋｇ／ｍ３の鋼で作られた振動プレートに対しては、式（４）によって、図２に示す曲線が得られる。これは、細長材の長さの関数として、８００Ｈｚの細長材及び４０００Ｈｚの細長材に対して、発動エネルギーＵ＝２０マイクロワットを得るのに必要な移動距離δ、そして、垂直方向の合計寸法（細長材の高さと移動距離の２倍との和ｈ＋２δによって定められる）を示している。細長材の長さと垂直方向の合計寸法の最大の寸法は、斜線領域によって表されている。グラフＣ１及びＣ２は、４０００Ｈｚの周波数をそれぞれ垂直方向の合計寸法ｈ＋２δ又は単に移動距離δとともに表している。グラフＣ３及びＣ４は、８００Ｈｚの周波数に対応するものである。
【００４９】
図２は、２０マイクロワットの発動エネルギーを得るように移動距離が計算された図であり、特定の周波数における振動プレートの応答を示しており（４０００Ｈｚの細長材は左側、８００Ｈｚの細長材は右側）、実線の各曲線は、垂直方向の合計寸法との応答に対応しており、点線の各曲線は、単に移動距離δに対応している。細長材の長さと垂直方向の合計における最大の寸法は、動作限界の特徴が反映されたものであり、斜線領域によって表されている。この領域の外では、伝統的な腕時計に振動プレートを組み入れることができない。
【００５０】
したがって、図２は、最大の許容可能な全体寸法（ここでは、Ｌは１２ｍｍ以下であり、合計の最大の全体寸法は１．５ｍｍ以下である）の範囲内にて、必要な（又はこれよりも大きな）エネルギーで４０００Ｈｚの細長材を発動させることができることを示している。いくつかの幾何学的構成がこの結果を可能にする。例えば、移動距離δ＝０．２ｍｍで発動される長さＬ＝７．５ｍｍ及び高さｈ＝０．２５ｍｍの細長材である。これは、周波数４０００Ｈｚの実線グラフＣ２上の点Ａに対応する。しかし、この振動プレートの材料が、許容可能な全体寸法の範囲内で、必要な最小エネルギーを備えた８００Ｈｚの細長材を発動させることができない。なぜなら、最大の全体寸法の８００Ｈｚの周波数に対応する曲線Ｃ３（連続曲線）が、振動プレートの最大の全体寸法に特有な領域を通り抜けないからである。８００Ｈｚで振動し垂直方向の合計寸法が同じであるような細長材、すなわち、グラフＣ３の上の点Ｂにおけるものは、１７．４ｍｍの長さＬを必要とする。
【００５１】
結論として、腕時計の伝統的な全体寸法の範囲内で、鋼製の振動プレートは、すべての周波数で最適な音響放射を得られるほど十分なエネルギーで細長材を発動させることができない。
【００５２】
本発明に係る振動プレート、特に、７５０金（Ｅ＝１１０ＧＰａ及びρ＝１５１００ｋｇ／ｍ3）で作られたものに対して、式（４）によって、図３に示す曲線を得る。これは、図２のグラフと類似しており、７５０金で作られた本発明に係る振動プレート１に関連するものである。この場合、所望の寸法範囲内に留まりつつ、十分なエネルギーで８００Ｈｚの細長材を発動させることもできる。したがって、細長材をすべて同じエネルギーで発動させることができる。すなわち、グラフＣ３の点Ｃに対応する可能な構成のうちの１つにおいて、８００Ｈｚの細長材は、長さＬ＝１２ｍｍ及び高さｈ＝０．３ｍｍを有し、これは、移動距離δ＝０．５ｍｍで発動される。すなわち、１．３ｍｍの最大の合計全体寸法を有する。これに対し、４０００Ｈｚの周波数に対応するグラフＣ１の点Ｄにおいて、対応する細長材２は、移動距離δ＝０．１５ｍｍで発動される長さＬ＝６ｍｍ、高さｈ＝０．３５を有する。すなわち、０．６５ｍｍの最大の合計全体寸法を有する。
【００５３】
対どうしが約０．０７ｍｍのギャップによって分離される１５の細長材２を備え、本発明によって定められる物性（Ｅが７０ＧＰａ〜１２０ＧＰａ、密度が１４０００ｋｇ／ｍ3〜２００００ｋｇ／ｍ3）を有する振動プレート１であっても、（１２ｍｍ×７ｍｍ×１．５ｍｍ）に制限される全体寸法（振動プレートの有効長×振動プレートの幅×垂直方向の高さ）の範囲内で２０マイクロワットよりも大きいエネルギーで、すべての細長材２を発動させることができる。
【００５４】
図４は、機械的なパラメーター（Ｅ＝１２０ＧＰａ、ρ＝１４０００ｋｇ／ｍ3）の制限値（したがって、最も臨界的な値）に対して移動距離及び垂直方向の全体寸法を定める曲線を示している。この場合でも、振動プレートの最適な寸法取りが可能である。グラフＣ３は、斜線領域を通り抜け、グラフＣ３の点Ｅにて、長さがＬ＝１１．５ｍｍ、最大の全体高さ寸法が１．４５ｍｍの細長材が、８００Ｈｚの周波数に適しており、一方で、４０００Ｈｚの周波数の音の放射を確実にすることは困難ではない。
【００５５】
要するに、パラメーターに依存して、本発明に係る細長材２の周波数及び発動エネルギーがパラメーターに依存して異なる機能的な依存性を有することによって、鋼製の振動プレートと比べて改善することができる。特に、同じ発動エネルギーの場合に、
【数７】
2017502359.tif 000009
であることによってである。ここで、ｃ＝ｃ（ｂ、ｆ）は、細長材の幅及び周波数のみに依存し、細長材２の長さにも移動距離にも依存しないような関数である。
【００５６】
具体的には、δ2Ｌ3は、（Ｅ／ρ3）1/2に比例している。
【００５７】
したがって、鋼よりも密度が高い及び／又は弾性係数が低い場合、必要な移動距離又は細長材２の長さＬ、又はこれら両方の寸法を同時に小さくすることが可能である。
【００５８】
本発明の変種の１つにおいて、少なくとも１つの細長材２は、表面被覆を有する。
【００５９】
本発明の変種の１つにおいて、少なくとも１つの細長材２は、そのコア材料と比べて硬化した表面を有する。
【００６０】
本発明によって与えられる利点は、以下のように重大である。
−  腕時計又は演奏箱によって放射される音の音響レベルが１ｋＨｚ〜４ｋＨｚの周波数帯にて大きくなる。
−  メロディー演奏時に知覚される音響レベルの均一性が増す。音発生部品（振動プレートとディスク）の全体寸法が小さくなる。
【００６１】
本発明は、さらに、このような振動プレート１を少なくとも１つ有する腕時計１００又は演奏箱２００用の打撃機構５０に関する。
【００６２】
本発明は、さらに、このような機構５０を少なくとも１つ及び／又はこのような振動プレート１を少なくとも１つ有する腕時計１００又は演奏箱２００によって形成される計時器５００に関する。
【図１】
2017502359.tif 000014
【図２】
2017502359.tif 000015
【図３】
2017502359.tif 000016
【図４】
2017502359.tif 000017
【図５】
2017502359.tif 000018
【手続補正書】
【提出日】平成28年5月24日(2016.5.24)
【手続補正１】
【補正対象書類名】明細書
【補正対象項目名】全文
【補正方法】変更
【補正の内容】
【発明の詳細な説明】
【技術分野】
【０００１】
本発明は、片側が固定されている複数の細長材を有する発動エネルギーが最適化されている振動プレートを少なくとも１つ有する腕時計又は演奏箱用の打撃機構に関する。
【０００２】
本発明は、さらに、このような機構を少なくとも１つ有する腕時計又は演奏箱によって形成されている計時器に関する。
【０００３】
本発明は、打撃機構を有する計時器の分野に関し、特に、腕時計及び演奏箱の分野に関する。
【背景技術】
【０００４】
演奏機能付き腕時計又は演奏箱の打撃機構は、一般的に、振動プレートと、及び振動プレートの細長材を発動させる発動システムによって形成されている。この発動システムは、回転シリンダ、回転円板などであることができる。
【０００５】
従来、振動プレートの材料は、主として、製造性と耐摩耗性・耐疲労性に基づいて選択されている。なぜなら、振動プレートの細長材は、繰り返し曲げ力を受け、細長材の表面と発動ピンとの間の摩擦が表面の摩耗やコーキングを引き起こすことがあるからである。同時に、従来、打撃機構付きの腕時計又は演奏箱の製造業者は、細長材の発動パワーをできるだけ大きくすることを常に試みてきた。これには、特に、最高のピッチ音に対応する最短の細長材に対して、非常に大きい曲げ力を必要とする。
【０００６】
MONTRES BREGUET SA名義の欧州特許出願ＥＰ２４８２２７５Ａ１は、腕時計の形の演奏箱用の振動プレートについて記載している。これは、平行な細長材の対の組によって構成しており、この細長材は、その一端がヒールに接続しており、細長材の対のそれぞれは、音叉を形成しており、対の細長材の一方を、演奏機能付きムーブメントのピンによって振動させることができ、対の細長材の他方に振動が縦波を介して伝搬する。特定の変種において、振動プレートは、貴金属、金又は金属性ガラスで作られている。
【発明の概要】
【発明が解決しようとする課題】
【０００７】
本発明は、特定の弾性特性を有する材料で形成された最適化された振動プレートを打撃機構に対して導入することを提案するものである。これは、特に、外側部品を通して最適な音放射がなされることを確実にし、最小の全体寸法にて最大量のエネルギーを格納するために特定の幾何学的構成を有する。
【課題を解決するための手段】
【０００８】
この放射を最適化する課題を克服するために、打撃機構用の振動プレートに関する精力的な研究を行った。これは、腕時計の外側部品にわずかに依存して発動パワーが所定のしきい値（約２０マイクロワット）を超えなければならないということに焦点を当てるものである。これによって、効率的な放射が可能になり、音レベルが大きく改善する（このしきい値周辺で１０ｄＢよりも大きい改善）。しかし、このしきい値を超えると発動パワーを大きくすることに関して大きな利点はない。実際に、このしきい値を超えると、改善が線形的になる。これは、わずか３ｄＢによって発生する音のレベルを大きくするために、利用可能なパワーを２倍にしなければならないことを意味する。
【０００９】
同時に、近年、材料を被覆し硬化する技術によって計時器の部品の摩耗や疲労のリスクを減らし、打撃機構の振動プレート機能のために比較的可撓性を有する材料を用いることができるようになってきた。
【００１０】
このことは、エネルギー及び部品の全体寸法の基準に基づいて（細長材はすべて２０マイクロワットよりも大きい発動エネルギーがなければならない）、振動プレートの材料を選択することができることを意味する。
【００１１】
したがって、本発明は、伝統的に用いられている鋼製の振動プレートよりも弾性係数が低く、かつ、密度が大きいような最適化された打撃機構振動プレートを定めることによって、業界の慣行に大きく反して通常では思い描かない手法を提案するものである。この本発明に係る最適化された振動プレートのファミリーの主な例は、金又は金合金で作られた振動プレートである。
【００１２】
この材料又は同じ物理的条件を満たす他の材料を使用するおかげで、全体寸法が小さいまま、演奏される様々な音階の音レベルを標準化することができる。これによって、この最適なシステムを得るためには、以下の説明において詳細に説明する十分に定められており適応されている幾何学的構成を用いる必要がある。
【００１３】
このために、本発明は、請求項１によれば、片側が固定されている複数の細長材を有する発動パワーが最適化されている少なくとも１つの振動プレートを有する腕時計又は演奏箱用の打撃機構に関する。
【００１４】
本発明の別の特定の特徴によると、細長材はそれぞれ、ヤング率が７０ＧＰａ〜１２０ＧＰａ又は密度が１４〜２２であるの材料で形成されている。
【００１５】
本発明の別の特定の特徴によると、細長材はそれぞれ、ヤング率が７０ＧＰａ〜１２０ＧＰａ、密度が１４〜２２である材料で形成されている。
【００１６】
より詳細には、振動プレートは、ヤング率が７０ＧＰａ〜１２０ＧＰａ、密度が１４〜２２である材料で形成されている。
【００１７】
本発明の特定の特徴によると、細長材の少なくとも１つは、金を含有する合金で作られている。
【００１８】
本発明は、さらに、このような機構を少なくとも１つ有する腕時計又は演奏箱によって形成される計時器に関する。
【００１９】
添付図面を参照しながら下記の詳細な説明を読むことで、本発明の他の特徴及び利点を理解することができるであろう。
【図面の簡単な説明】
【００２０】
【図１】本発明に係る７５０金の振動プレート（Ｅ＝１１０ＧＰａ、ρ＝１５１００ｋｇ／ｍ3）を用いる場合に、Ｘ軸上の細長材の長さの関数として、８００Ｈｚにおいて基本曲げモードを有する細長材の発動パワー（単位はマイクロワット）の分布及び細長材の幅が０．４ｍｍである場合のｙ軸上の細長材の持ち上げ量を示す概略図である。
【図２】従来技術の鋼製の振動プレートを用いる場合の概略図であって、Ｘ軸は、細長材の長さ、Ｙ軸は、細長材の垂直方向の合計寸法、すなわち、細長材の高さの合計であって、その移動距離の２倍である。これは、２０マイクロワットの発動エネルギーを得るために評価される。この図２は、特定の周波数における振動プレートの応答を示している（４０００Ｈｚの細長材は左側、８００Ｈｚの細長材は右側）。各実線曲線は、垂直方向の合計寸法との応答に対応しており、各点線曲線は、単一の移動距離に対応しており、細長材最大の全長及び動作限界を特徴づける垂直方向の合計寸法は、斜線領域によって表される。
【図３】図２と同様な形態の図であり、ヤング率が１１０ＧＰａ、密度が１５．１の第１の７５０金の合金で作られた本発明に係る振動プレートに対応する図である。
【図４】図２と同様な形態の図であり、ヤング率が１２０ＧＰａ、密度が１４．０の第２の金合金で作られた本発明に係る振動プレートに対応する図である。
【図５】本発明に係る振動プレートの概略斜視図である。
【発明を実施するための形態】
【００２１】
本発明は、打撃機構を有する計時器の分野に関し、特に、打撃機構を有する腕時計や演奏箱の分野に関する。
【００２２】
より詳細には、本発明は、発動エネルギーが最適化されている片側が固定されている複数の細長材２を有する腕時計１００又は演奏箱２００の打撃機構用の振動プレート１に関する。
【００２３】
各細長材２は、所定の周波数で振動するような寸法構成を有する。振動プレート１全体は、特定範囲の可聴周波数を放射する振動を確実に発生するように構成している。より詳細には（これに制限されない）、この範囲は、８００Ｈｚ〜４０００Ｈｚの周波数である。下で記載する概念的思考は、この周波数範囲の他のすべての制限値にも適用される。
【００２４】
好ましいことに、本発明によると、振動プレート１の細長材２はそれぞれ、
【数１】
2017502359.tif 000019
であるような材料で形成される。
【００２５】
本発明の変種の１つにおいて、これらの細長材２はそれぞれ、ヤング率が７０ＧＰａ〜１２０ＧＰａである材料Ｍで作られる。
【００２６】
別の変種の１つにおいて、少なくとも１つの細長材２は、白金又は白金合金で作られ、ヤング率が１２０ＧＰａよりも大きい。
【００２７】
本発明の変種の１つにおいて、これらの細長材２はそれぞれ、密度が１４より大きく、特に、１４〜２２である。
【００２８】
より詳細には、これらの細長材２はそれぞれ、ヤング率が７０ＧＰａ〜１２０ＧＰａ又は密度が１４〜２２である材料で形成されている。
【００２９】
より詳細には、これらの細長材２はそれぞれ、ヤング率が７０ＧＰａ〜１２０ＧＰａ、かつ、密度が１４〜２２である材料で形成されている。
【００３０】
より詳細には、振動プレートは、ヤング率が７０ＧＰａ〜１２０ＧＰａ又は密度が１４〜２２である材料で形成されている。
【００３１】
より詳細には、振動プレートは、ヤング率が７０ＧＰａ〜１２０ＧＰａ、かつ、密度が１４〜２２である材料で形成されている。
【００３２】
なお、ここでは、「密度」は、水に対する比重を意味する。したがって、値「λ」の密度は、λ・１０3ｋｇ／ｍ3の質量密度に対応する。通常の金又は金合金の異なるシェード、特に、１８カラットの「７５０」金が、この基準を満たしている。
【００３３】
本発明の変種の１つにおいて、少なくとも１つの細長材２は、金を含有する合金で作られている。
【００３４】
本発明の変種の１つにおいて、少なくとも１つの細長材２は、少なくとも７５％の金を含有する「７５０」金で作られている。
【００３５】
他の材料も必要条件を満たしており、本発明に係る振動プレートの製造に用いるように思い描くことができ、単独でも、金と組み合わせても、少なくとも金と組み合わせても、このような材料の少なくとも２つを互いに又は他と組み合わせることができる。
【００３６】
したがって、変種の１つでは、振動プレート１は、タングステン、イリジウム、白金、パラジウム、銀、銅、青銅、特定の鋳鉄、ガラス、水晶、ベリリウム、クロム、マンガン、モリブデン、「Ｉｎｖａｒ（登録商標）」、「Ｉｎｃｏｎｅｌｓ（登録商標）」、「Ｈａｓｔａｌｌｏｙｓ（登録商標）」及び同様の要素、様々な炭化物、酸化ジルコニウム、及びサファイアからなる群から選択される少なくとも１つの要素を含有し、この少なくとも１つの要素は、単独で、金と組み合わせて、少なくとも金と組み合わせて、当該群の別の要素と組み合わせて、又は当該群の少なくとも２つの要素どうしを組み合わせて用いられる。
【００３７】
より詳細には、タングステン、イリジウム、白金、パラジウム及び銀を単独で使用することができる。
【００３８】
本発明のために定められる様々な基準に対して、毎回、Ｅとρの値を確かめるべきである。
【００３９】
特定の実施形態において、図５に示すように、振動プレート１を形成する細長材２はすべて、土台部分３と一体的なアセンブリーを形成し、この土台部分３を介して振動プレート１が固定される。この土台部分３は、各細長材２のアンカーヒールを形成する。これは、一端がアンカリングされ片持ちレバー構成でマウントされる振動ビームと同様である。図示していない他のいくつかの変種では、振動プレート１は、本発明に係るヤング率と密度値の範囲にすべてが適合する細長材２によって形成することができ、細長材２はそれぞれ、土台部分３にアンカリングされ、この土台部分３も同じ値の範囲に適合することが好ましい。
【００４０】
本説明において、単純化のため、細長材２はそれぞれ、中実の平行六面体柱である。実際上、形状と断面が異なる中実又は中空の細長材２にも同じ論法を適用可能である。
【００４１】
この特定の例において、ヤング率Ｅと密度ρの特定の材料Ｍのそれぞれに対して、細長材２の適切な幾何学的構成（細長材の最小長さ、最大長さ、高さｈ及び幅ｂによって定められる）が、以下の２つの数式を用いて数学的に得られる。これらの数式それぞれは、振動プレートの細長材の周波数と曲げエネルギー（一端がアンカリングされた薄いビームとしてモデル化される）を定める。
【数２】
2017502359.tif 000020
【００４２】
所与の材料及び周波数に対して、細長材２の高さｈがその長さＬによって決まる。
【数３】
2017502359.tif 000021
【００４３】
関係（３）を（２）に導入することによって、各細長材２の発動エネルギー（基本曲げモードＳを有する）をその長さＬ及びその（固定幅ｂに対しての）移動距離δの関数として得ることができる。
【００４４】
図１は、細長材の幅ｂ＝０．４ｍｍである場合に、７５０金の振動プレート（Ｅ＝１１０ＧＰａ、ρ＝１５１００ｋｇ／ｍ3）に対しての基本曲げモードが８００Ｈｚである細長材の発動パワー（マイクロワットで）を、細長材の長さＬと移動距離δの関数として示している。
【００４５】
所与の材料、周波数、細長材幅及び発動エネルギーに対して、発動パワーＵ＝２０マイクロワットを得るのに必要なスイープが、以下のように細長材の長さＬによって決められる（ＫＯ単位で）。
【数４】
2017502359.tif 000022
【００４６】
ｚ方向の最大の寸法が２δ＋ｈ＜Ｈmaxによって決められ、それらの主軸によって定められる方向における細長材の最大の寸法が、Ｌ＜Ｌmaxによって決められる場合、式（４）は明確に最適な構成を決めることができる。
【００４７】
デジタルの実装に対しては、細長材幅ｂ＝０．４ｍｍが用いられ、打撃機構の振動プレートの典型的な制限周波数は、以下のように考えられる。ｆmin＝８００Ｈｚ、かつ、ｆmax＝４０００Ｈｚ
【００４８】
Ｅ＝１８５ＧＰａかつ密度８０００ｋｇ／ｍ３の鋼で作られた振動プレートに対しては、式（４）によって、図２に示す曲線が得られる。これは、細長材の長さの関数として、８００Ｈｚの細長材及び４０００Ｈｚの細長材に対して、発動エネルギーＵ＝２０マイクロワットを得るのに必要な移動距離δ、そして、垂直方向の合計寸法（細長材の高さと移動距離の２倍との和ｈ＋２δによって定められる）を示している。細長材の長さと垂直方向の合計寸法の最大の寸法は、斜線領域によって表されている。グラフＣ１及びＣ２は、４０００Ｈｚの周波数をそれぞれ垂直方向の合計寸法ｈ＋２δ又は単に移動距離δとともに表している。グラフＣ３及びＣ４は、８００Ｈｚの周波数に対応するものである。
【００４９】
図２は、２０マイクロワットの発動エネルギーを得るように移動距離が計算された図であり、特定の周波数における振動プレートの応答を示しており（４０００Ｈｚの細長材は左側、８００Ｈｚの細長材は右側）、実線の各曲線は、垂直方向の合計寸法との応答に対応しており、点線の各曲線は、単に移動距離に対応している。細長材の長さと垂直方向の合計における最大の寸法は、動作限界の特徴が反映されたものであり、斜線領域によって表されている。この領域の外では、伝統的な腕時計に振動プレートを組み入れることができない。
【００５０】
したがって、図２は、最大の許容可能な全体寸法（ここでは、Ｌは１２ｍｍ以下であり、合計の最大の全体寸法は１．５ｍｍ以下である）の範囲内にて、必要な（又はそれよりも大きな）力で４０００Ｈｚの細長材を発動させることができることを示している。いくつかの幾何学的構成がこの結果を可能にする。例えば、移動距離δ＝０．２ｍｍで発動される長さＬ＝７．５ｍｍ及び高さｈ＝０．２５ｍｍの細長材である。これは、周波数４０００Ｈｚの実線グラフＣ２上の点Ａに対応する。しかし、この振動プレートの材料が、許容可能な全体寸法の範囲内で、必要な最小パワーを備えた８００Ｈｚの細長材を発動させることができない。なぜなら、最大の全体寸法の８００Ｈｚの周波数に対応する曲線Ｃ３（連続曲線）が、振動プレートの最大の全体寸法に特有な領域を通り抜けないからである。８００Ｈｚで振動し垂直方向の合計寸法が同じであるような細長材、すなわち、グラフＣ３の上の点Ｂにおけるものは、１７．４ｍｍの長さＬを必要とする。
【００５１】
結論として、腕時計の伝統的な全体寸法の範囲内で、鋼製の振動プレートは、すべての周波数で最適な音響放射を得られるほど十分なエネルギーで細長材を発動させることができない。
【００５２】
本発明に係る振動プレート、特に、７５０金（Ｅ＝１１０ＧＰａ及びρ＝１５１００ｋｇ／ｍ3）で作られたものに対して、式（４）によって、図３に示す曲線を得る。これは、図２のグラフと類似しており、７５０金で作られた本発明に係る振動プレート１に関連するものである。この場合、所望の全体寸法範囲内に留まりつつ、十分なパワーで８００Ｈｚの細長材を発動させることもできる。したがって、細長材をすべて同じエネルギーで発動させることができる。すなわち、グラフＣ３の点Ｃに対応する可能な構成のうちの１つにおいて、８００Ｈｚの細長材は、長さＬ＝１２ｍｍ及び高さｈ＝０．３ｍｍを有し、これは、移動距離δ＝０．５ｍｍで発動される。すなわち、１．３ｍｍの最大の合計全体寸法を有する。これに対し、４０００Ｈｚの周波数に対応するグラフＣ１の点Ｄにおいて、対応する細長材２は、移動距離δ＝０．１５ｍｍで発動される長さＬ＝６ｍｍ、高さｈ＝０．３５を有する。すなわち、０．６５ｍｍの最大の合計全体寸法を有する。
【００５３】
対どうしが約０．０７ｍｍのギャップによって分離される１５の細長材２を備え、本発明によって定められる物性（Ｅが７０ＧＰａ〜１２０ＧＰａ、密度が１４０００ｋｇ／ｍ3〜２００００ｋｇ／ｍ3）を有する振動プレート１であっても、（１２ｍｍ×７ｍｍ×１．５ｍｍ）に制限される全体寸法（振動プレートの有効長×振動プレートの幅×垂直方向の高さ）の範囲内で２０マイクロワットよりも大きいエネルギーで、すべての細長材２を発動させることができる。
【００５４】
図４は、機械的なパラメーター（Ｅ＝１２０ＧＰａ、ρ＝１４０００ｋｇ／ｍ3）の制限値（したがって、最も臨界的な値）に対して移動距離及び垂直方向の全体寸法を定める曲線を示している。この場合でも、振動プレートの最適な寸法取りが可能である。グラフＣ３は、斜線領域を通り抜け、グラフＣ３の点Ｅにて、長さがＬ＝１１．５ｍｍ、最大の全体高さ寸法が１．４５ｍｍの細長材が、８００Ｈｚの周波数に適しており、一方で、４０００Ｈｚの周波数の音の放射を確実にすることは困難ではない。
【００５５】
要するに、パラメーターに依存して、本発明に係る細長材２の周波数及び発動パワーがパラメーターに依存して異なる機能的な依存性を有することによって、鋼製の振動プレートと比べて改善することができる。特に、同じ発動エネルギーの場合に、
【数５】
2017502359.tif 000023
であることによってである。ここで、ｃ＝ｃ（ｂ、ｆ）は、細長材の幅及び周波数のみに依存し、細長材２の長さにも移動距離にも依存しないような関数である。
【００５６】
具体的には、δ2Ｌ3は、（Ｅ／ρ3）1/2に比例している。
【００５７】
したがって、鋼よりも密度が高い及び／又は弾性係数が低い場合、必要な移動距離又は細長材２の長さＬ、又はこれら両方の寸法を同時に小さくすることが可能である。
【００５８】
本発明の変種の１つにおいて、少なくとも１つの細長材２は、表面被覆を有する。
【００５９】
本発明の変種の１つにおいて、少なくとも１つの細長材２は、そのコア材料と比べて硬化した表面を有する。
【００６０】
本発明によって与えられる利点は、以下のように重大である。
−  腕時計又は演奏箱によって放射される音の音響レベルが１ｋＨｚ〜４ｋＨｚの周波数帯にて大きくなる。
−  メロディー演奏時に知覚される音響レベルの均一性が増す。音発生部品（振動プレートとディスク）の全体寸法が小さくなる。
【００６１】
本発明は、さらに、このような振動プレート１を少なくとも１つ有する腕時計１００又は演奏箱２００用の打撃機構５０に関する。
【００６２】
本発明は、さらに、このような機構５０を少なくとも１つ及び／又はこのような振動プレート１を少なくとも１つ有する腕時計１００又は演奏箱２００によって形成される計時器５００に関する。
【手続補正２】
【補正対象書類名】特許請求の範囲
【補正対象項目名】全文
【補正方法】変更
【補正の内容】
【特許請求の範囲】
【請求項１】
片側が固定されている複数の細長材（２）を有する発動パワーが最適化されている少なくとも１つの振動プレート（１）を有する腕時計（１００）又は演奏箱（２００）用の打撃機構（５０）であって、
前記細長材（２）はそれぞれ、不等式
【数１】
2017502359.tif 000024
を満たすヤング率Ｅ及び密度ρを有する材料で形成されており、
前記細長材（２）のすべてはそれぞれ、関係
【数２】
2017502359.tif 000025
を満たし、ここで、ｂは、前記細長材（２）の幅、Ｌは、前記細長材（２）の長さであり、δは、前記細長材の移動距離であり、ｆは、前記細長材（２）の周波数であり、Ｕは、前記細長材（２）の発動パワーであって２０マイクロワット以上であり、
前記細長材（２）は、８００Ｈｚ〜４０００Ｈｚにて振動するように構成しており、
前記振動プレート（１）の全体寸法は、前記振動プレート（１）の有効長が１２ｍｍ以下、前記振動プレート（１）の幅が７ｍｍ以下、そして、前記振動プレート（１）の垂直方向の高さが１．５ｍｍ以下である
ことを特徴とする打撃機構（５０）。
【請求項２】
前記細長材（２）はそれぞれ、ヤング率が７０ＧＰａ〜１２０ＧＰａ又は密度が１４〜２２である材料によって形成されている
ことを特徴とする請求項１に記載の打撃機構（５０）。
【請求項３】
前記細長材（２）はそれぞれ、ヤング率が７０ＧＰａ〜１２０ＧＰａかつ密度が１４〜２２である材料によって形成されている
ことを特徴とする請求項１に記載の打撃機構（５０）。
【請求項４】
前記振動プレート（１）はそれぞれ、ヤング率が７０ＧＰａ〜１２０ＧＰａかつ密度が１４〜２２である材料によって形成されている
ことを特徴とする請求項２に記載の打撃機構（５０）。
【請求項５】
前記振動プレート（１）はそれぞれ、ヤング率が７０ＧＰａ〜１２０ＧＰａ又は密度が１４〜２２である材料によって形成されている
ことを特徴とする請求項３に記載の打撃機構（５０）。
【請求項６】
前記細長材（２）の少なくとも１つは、金を含有する合金で作られている
ことを特徴とする請求項１に記載の打撃機構（５０）。
【請求項７】
前記振動プレート（１）の前記細長材（２）はそれぞれ、金を含有する合金で作られている
ことを特徴とする請求項６に記載の打撃機構（５０）。
【請求項８】
前記振動プレート（１）は、白金を、単独で又は少なくとも金とともに、含有する材料で作られている
ことを特徴とする請求項１に記載の打撃機構（５０）。
【請求項９】
前記振動プレート（１）は、パラジウムを、単独で又は少なくとも金とともに、含有する材料で作られている
ことを特徴とする請求項１に記載の打撃機構（５０）。
【請求項１０】
前記細長材（２）は、高さ０．２５ｍｍを有し、これは、０．２ｍｍの移動距離で発動する
ことを特徴とする請求項１に記載の打撃機構（５０）。
【請求項１１】
前記細長材（２）は、高さ０．３５ｍｍを有し、これは、０．１５ｍｍの移動距離で発動する
ことを特徴とする請求項１に記載の打撃機構（５０）。
【請求項１２】
前記細長材（２）は、対の間の０．０７ｍｍのギャップによって分離される
ことを特徴とする請求項１に記載の打撃機構（５０）。
【請求項１３】
前記細長材（２）の幅は、０．４ｍｍである
ことを特徴とする請求項１に記載の打撃機構（５０）。
【請求項１４】
前記細長材（２）の少なくとも１つは、表面被覆を有する
ことを特徴とする請求項１に記載の打撃機構（５０）。
【請求項１５】
前記細長材（２）の少なくとも１つは、そのコア材料と比べて硬化した表面を有する
ことを特徴とする請求項１に記載の打撃機構（５０）。
【請求項１６】
前記細長材（２）の少なくとも１つは、中空である
ことを特徴とする請求項１に記載の打撃機構（５０）。
【請求項１７】
前記振動プレート（１）を形成する前記細長材（２）のすべては、前記振動プレート（１）の土台部分（３）と一体的なアセンブリーを形成している
ことを特徴とする請求項１に記載の打撃機構（５０）。
【請求項１８】
請求項１に記載の打撃機構（５０）を少なくとも１つ有する
ことを特徴とする腕時計（１００）。
【請求項１９】
請求項１に記載の打撃機構（５０）を少なくとも１つ有する
ことを特徴とする演奏箱（２００）。
【国際調査報告】
2017502359.tif 000026
2017502359.tif 000027
2017502359.tif 000028
2017502359.tif 000029